(57)【要約】【課題】煩雑な操作や複雑な処理が不要であって受信した信号の周波数に合わせて動作することができる複数周波数対応型共振回路およびこれを用いた情報通信装置、情報通信方法を提供すること。【解決手段】複数周波数対応型共振回路１００は、あらかじめ決められた複数の周波数の電波または磁界を用いて伝搬される信号の受信あるいは送受信を行う情報通信装置２００に用いられるものであって、信号の受信あるいは送受信を行うために用いられる共振回路１０と、共振回路１０を経由して受信した信号の周波数を複数の周波数の中から判定するとともに、この判定した周波数となるように共振回路１０の共振周波数を設定する周波数判定・設定回路２０とを備える。【選択図】図３
2012156923.tif 000002
【特許請求の範囲】
【請求項１】
あらかじめ決められた複数の周波数の電波または磁界を用いて伝搬される信号の受信あるいは送受信を行う情報通信装置に用いられる複数周波数対応型共振回路であって、
前記信号の受信あるいは送受信を行うために用いられる共振回路と、
前記共振回路を経由して受信した信号の周波数を前記複数の周波数の中から判定する周波数判定手段と、
前記共振回路の共振周波数が、前記周波数判定手段によって判定された周波数となるように設定する周波数設定手段と、
を備えることを特徴とする複数周波数対応型共振回路。
【請求項２】
請求項１において、
前記周波数判定手段は、
前記共振回路を経由して受信した信号を増幅する増幅回路と、
前記増幅回路によって増幅された後の信号成分の中から前記複数の周波数のそれぞれに対応した成分を通過させる複数の周波数フィルタ回路と、
前記複数の周波数フィルタ回路の出力信号の信号レベルを検出する複数の信号レベル検出回路と、
を備えることを特徴とする複数周波数対応型共振回路。
【請求項３】
請求項２において、
前記周波数判定手段は、前記複数の信号レベル検出回路によって検出された信号レベルの中から最も大きい信号レベルに対応する周波数を、前記共振回路を経由して受信した信号の周波数として判定することを特徴とする複数周波数対応型共振回路。
【請求項４】
請求項１〜３のいずれかにおいて、
前記共振回路は、コイルと、複数のコンデンサと、これら複数のコンデンサのそれぞれに対応する複数のスイッチとを有し、
前記複数のスイッチのそれぞれは、前記複数の周波数のそれぞれに対応しており、
前記周波数設定手段は、前記周波数判定手段によって判定された周波数に対応する前記複数のスイッチのいずれかをオンすることを特徴とする複数周波数対応型共振回路。
【請求項５】
請求項１〜４のいずれかの複数周波数対応型共振回路と、
前記周波数設定手段によって共振周波数が設定された後の前記共振回路を用いて、外部装置に向けて信号を送信する信号送信制御手段と、
を備えることを特徴とする情報通信装置。
【請求項６】
請求項５において、
前記信号送信制御手段は、前記共振回路を短絡するスイッチをオン／オフすることにより、前記共振回路から前記外部装置に向けた信号の送信を行うことを特徴とする情報通信装置。
【請求項７】
コイルとこのコイルに選択的に接続される複数のコンデンサとを有する共振回路と、前記共振回路を経由して受信した信号の周波数を前記複数の周波数の中から判定する周波数判定手段と、前記共振回路の共振周波数が、前記周波数判定手段によって判定された周波数となるように前記複数のコンデンサのいずれかを選択する周波数設定手段と、前記周波数設定手段によって共振周波数が設定された後の前記共振回路を用いて外部装置に向けて信号を送信する信号送信制御手段とを備える情報通信装置における情報通信方法であって、
前記コイルが共振しない状態において前記コイルによって受信した信号の周波数を前記周波数判定手段によって判定する周波数判定ステップと、
前記周波数判定ステップにおいて判定された周波数に対応する一の前記コンデンサを前記コイルに選択的に接続することにより、前記周波数設定手段によって前記共振回路の共振周波数を設定する共振周波数設定ステップと、
前記共振周波数設定ステップにおいて共振周波数が設定された前記共振回路を用いて、前記信号送信制御手段によって前記外部装置に向けて信号を送信する信号送信ステップと、
を有することを特徴とする情報通信方法。
【発明の詳細な説明】
【技術分野】
【０００１】
本発明は、電波や磁界を用いて情報を受信または送受信する複数周波数対応型共振回路およびこれを用いた情報通信装置、情報通信方法に関する。
【背景技術】
【０００２】
従来から、電波や磁界を用いて情報を送信あるいは受信する装置としては、コンピュータに文字や図形を入力する際に用いる位置検出装置の位置指示器や、非接触ＩＣカード、商品管理等に用いるＩＣタグ、電波時計などが知られている。
【０００３】
例えば、位置検出装置の位置指示器としては、位置検出装置から送信される信号と同一周波数の共振回路を位置指示器内に設けて信号の送受信を行うことにより、筆圧やスイッチなどの情報を送受信する構成が知られている（例えば、特許文献１参照。）。
【先行技術文献】
【特許文献】
【０００４】
【特許文献１】特開平７−１７５５７２号公報（第７−１３頁、図１−２３）
【発明の概要】
【発明が解決しようとする課題】
【０００５】
ところで、上述した特許文献１に開示された従来例では、用途毎に異なる周波数の信号が用いられており、それぞれの装置毎に設定された周波数で動作する専用の位置指示器が必要であった。このため、周波数が異なる複数の装置に対応して一つの位置指示器を使用することができず、一つの位置指示器を兼用したいという要望があった。
【０００６】
また、共振回路を備えた非接触ＩＣカードは広く知られているが、この種のＩＣカードでは、システム毎に固有の周波数の信号を用いているため、ＩＣカード内に設ける共振回路としては、対応するシステムに応じて固有の周波数が設定されている。このため、複数のシステムにおいて同じＩＣカードを使用することができず、共通に使うことができる比接触ＩＣカードが望まれている。
【０００７】
さらに、電波時計は、地域毎に異なる周波数で送信される標準電波を受信するが、複数の地域で使用できるようにするために周波数を手動で切り替えなければならなかった。マイクロプロセッサ等により共振周波数を順次切り替えながら信号レベルを検出することにより、最適な周波数を選択するようにしているものもあるが、処理が煩雑であって周波数選択に時間がかかっていた。
【０００８】
このように、共振回路を用いて情報を送信あるいは受信する従来構成では、用いるシステムに応じて共振回路の周波数を固定にするか、周波数を手動で切り替えるなどの操作が必要になり、共振回路を含む側の構成を共通化できない、あるいは周波数の切り替え操作や処理が煩わしいという問題があった。
【０００９】
本発明は、このような点に鑑みて創作されたものであり、その目的は、煩雑な操作や複雑な処理が不要であって受信した信号の周波数に合わせて動作することができる複数周波数対応型共振回路およびこれを用いた情報通信装置、情報通信方法を提供することにある。
【課題を解決するための手段】
【００１０】
上述した課題を解決するために、本発明の複数周波数対応型共振回路は、あらかじめ決められた複数の周波数の電波または磁界を用いて伝搬される信号の受信あるいは送受信を行う情報通信装置に用いられる複数周波数対応型共振回路であって、信号の受信あるいは送受信を行うために用いられる共振回路と、共振回路を経由して受信した信号の周波数を複数の周波数の中から判定する周波数判定手段と、共振回路の共振周波数が、周波数判定手段によって判定された周波数となるように設定する周波数設定手段とを備えている。
【００１１】
共振回路を経由して受信した信号の周波数を判定して共振回路の共振周波数が設定されるため、手動によって共振周波数を切り替える煩雑な操作や、共振周波数を順次切り替えて受信信号レベルを検出する等の複雑な処理が不要であり、あらかじめ決められた複数の周波数の中から受信信号の周波数に合わせて動作することが可能となる。
【００１２】
また、上述した周波数判定手段は、共振回路を経由して受信した信号を増幅する増幅回路と、増幅回路によって増幅された後の信号成分の中から複数の周波数のそれぞれに対応した成分を通過させる複数の周波数フィルタ回路と、複数の周波数フィルタ回路の出力信号の信号レベルを検出する複数の信号レベル検出回路とを備えることが望ましい。特に、上述した周波数判定手段は、複数の信号レベル検出回路によって検出された信号レベルの中から最も大きい信号レベルに対応する周波数を、共振回路を経由して受信した信号の周波数として判定することが望ましい。これにより、受信信号の周波数に合わせて共振回路の共振周波数を確実かつ容易に設定することができる。
【００１３】
また、上述した共振回路は、コイルと、複数のコンデンサと、これら複数のコンデンサのそれぞれに対応する複数のスイッチとを有し、複数のスイッチのそれぞれは、複数の周波数のそれぞれに対応しており、周波数設定手段は、周波数判定手段によって判定された周波数に対応する複数のスイッチのいずれかをオンすることが望ましい。このように、コイルと組み合わせるコンデンサをスイッチで切り替えることにより、共振回路の共振周波数を容易かつ確実に切り替えることができる。
【００１４】
また、本発明の情報通信装置は、上述した複数周波数対応型共振回路と、周波数設定手段によって共振周波数が設定された後の共振回路を用いて、外部装置に向けて信号を送信する信号送信制御手段とを備えている。これにより、使用される信号の周波数を自動的に判別して、情報通信装置と外部装置との間でこの周波数の信号を用いた情報の送受信が可能となる。
【００１５】
また、上述した信号送信制御手段は、共振回路を短絡するスイッチをオン／オフすることにより、共振回路から外部装置に向けた信号の送信を行うことが望ましい。これにより、共振周波数が設定された共振回路に流れる電流の状態を切り替えて、共振回路から送信される信号の内容を任意に設定することができる。
【００１６】
また、本発明の情報通信方法は、コイルとこのコイルに選択的に接続される複数のコンデンサとを有する共振回路と、共振回路を経由して受信した信号の周波数を複数の周波数の中から判定する周波数判定手段と、共振回路の共振周波数が、周波数判定手段によって判定された周波数となるように複数のコンデンサのいずれかを選択する周波数設定手段と、周波数設定手段によって共振周波数が設定された後の共振回路を用いて外部装置に向けて信号を送信する信号送信制御手段とを備える情報通信装置における情報通信方法であって、コイルが共振しない状態においてコイルによって受信した信号の周波数を周波数判定手段によって判定する周波数判定ステップと、周波数判定ステップにおいて判定された周波数に対応する一のコンデンサをコイルに選択的に接続することにより、周波数設定手段によって共振回路の共振周波数を設定する共振周波数設定ステップと、共振周波数設定ステップにおいて共振周波数が設定された共振回路を用いて、信号送信制御手段によって外部装置に向けて信号を送信する信号送信ステップとを有している。
【００１７】
共振回路を経由して受信した信号の周波数を判定して共振回路の共振周波数が設定されるため、手動によって共振周波数を切り替える煩雑な操作や、共振周波数を順次切り替えて受信信号レベルを検出する等の複雑な処理が不要であり、あらかじめ決められた複数の周波数の中から受信信号の周波数に合わせて動作することが可能となる。また、使用される信号の周波数を自動的に判別して、情報通信装置と外部装置との間でこの周波数の信号を用いた情報の送受信が可能となる。
【図面の簡単な説明】
【００１８】
【図１】一実施形態の複数周波数対応型共振回路の構成を示す図である。
【図２】本実施形態の複数周波数対応型共振回路の各部の信号波形を示す図である。
【図３】一実施形態の情報通信装置の構成を示す図である。
【図４】本実施形態の情報通信装置の各部の信号波形を示す図である。
【図５】本実施形態の情報通信装置の動作手順を示す流れ図である。
【発明を実施するための形態】
【００１９】
以下、本発明を適用した一実施形態の複数周波数対応型共振回路について、図面を参照しながら説明する。
【００２０】
図１は、一実施形態の複数周波数対応型共振回路の構成を示す図である。本実施形態の複数周波数対応型共振回路は、共振回路１０および周波数判定・設定回路２０を備えている。周波数判定・設定回路２０が周波数判定手段および周波数設定手段に対応する。
【００２１】
共振回路１０は、コイル１１、コンデンサ１２、１３、１４、スイッチ１５、１６、１７を有する。コイル１１、コンデンサ１２とスイッチ１５の直列回路、コンデンサ１３とスイッチ１６の直列回路、コンデンサ１４とスイッチ１７の直列回路が並列接続されている。スイッチ１５、１６、１７はアナログスイッチであり、例えばｎチャネルＦＥＴとｐチャネルＦＥＴが並列接続された半導体スイッチや可動部を有する機械式リレーなどが用いられる。これら３つのスイッチ１５、１６、１７のいずれかが選択的にオンされると、オンされたスイッチ１５等に直列に接続されたコンデンサ１２等とコイル１１とが並列接続されて、コイル１１とコンデンサ１２等による並列共振回路が形成される。コイル１１とコンデンサ１２とが並列接続された場合の共振周波数をｆ１、コイル１１とコンデンサ１３とが並列接続された場合の共振周波数をｆ２、コイル１１とコンデンサ１４とが並列接続された場合の共振周波数をｆ３とする。
【００２２】
周波数判定・設定回路２０は、増幅回路２１、バンドパスフィルタ２２、２３、２４、検波回路２５、２６、２７を有する。増幅回路２１は、共振回路１０内のコイル１１の一方端に現れる電圧を増幅する。バンドパスフィルタ２２、２３、２４は、異なる周波数成分を通過させる複数の周波数フィルタ回路であって、それぞれの通過中心周波数がｆ１、ｆ２、ｆ３に設定されている。
【００２３】
検波回路２５は、バンドパスフィルタ２２から出力される周波数ｆ１近傍の信号をＡＭ検波してこの信号の信号レベルを検出する。この検波回路２５によって検出された信号レベルが一定レベルを超えたときに、コンデンサ１２に対応するスイッチ１５がオンされる。検波回路２６は、バンドパスフィルタ２３から出力される周波数ｆ２近傍の信号をＡＭ検波してこの信号の信号レベルを検出する。この検波回路２６によって検出された信号レベルが一定レベルを超えたときに、コンデンサ１３に対応するスイッチ１６がオンされる。検波回路２７は、バンドパスフィルタ２４から出力される周波数ｆ３近傍の信号をＡＭ検波してこの信号の信号レベルを検出する。この検波回路２７によって検出された信号レベルが一定レベルを超えたときに、コンデンサ１４に対応するスイッチ１７がオン／オフされる。上述した検波回路２５、２６、２７のそれぞれが信号レベル検出回路に対応する。
【００２４】
本実施形態の複数周波数対応型共振回路はこのような構成を有しており、次にその動作を説明する。本実施形態では、外部装置（図示せず）から送信される電波または磁界信号の周波数がｆ１、ｆ２、ｆ３のいずれかである場合を想定している。
【００２５】
例えば、外部装置から送信される電波または磁界信号の周波数がｆ１の場合には、アンテナとして機能するコイル１１の一方端から周波数ｆ１の信号が出力される。このため、バンドパスフィルタ２２の出力信号のみが一定レベルを超え、コンデンサ１２に対応するスイッチ１５のみがオンされる。これにより、コイル１１とコンデンサ１２によって、共振周波数がｆ１の並列共振回路が形成される。コイル１１のインダクタンスをＬ、コンデンサ１２の静電容量をＣ１とすると、共振周波数ｆ１は１／（２π√（Ｌ・Ｃ１））となる。
【００２６】
また、外部装置から送信される電波または磁界信号の周波数がｆ２の場合には、アンテナとして機能するコイル１１の一方端から周波数ｆ２の信号が出力される。このため、バンドパスフィルタ２３の出力信号のみが一定レベルを超え、コンデンサ１３に対応するスイッチ１６のみがオンされる。これにより、コイル１１とコンデンサ１３によって、共振周波数がｆ２の並列共振回路が形成される。コイル１１のインダクタンスをＬ、コンデンサ１３の静電容量をＣ２とすると、共振周波数ｆ２は１／（２π√（Ｌ・Ｃ２））となる。
【００２７】
また、外部装置から送信される電波または磁界信号の周波数がｆ３の場合には、アンテナとして機能するコイル１１の一方端から周波数ｆ３の信号が出力される。このため、バンドパスフィルタ２４の出力信号のみが一定レベルを超え、コンデンサ１４に対応するスイッチ１７のみがオンされる。これにより、コイル１１とコンデンサ１４によって、共振周波数がｆ３の並列共振回路が形成される。コイル１１のインダクタンスをＬ、コンデンサ１４の静電容量をＣ３とすると、共振周波数ｆ３は１／（２π√（Ｌ・Ｃ３））となる。
【００２８】
図２は、本実施形態の複数周波数対応型共振回路の各部の信号波形を示す図である。例えば、周波数ｆ２の信号が受信された場合の信号波形が示されている。図２において、Ａ、Ｂ、Ｆ１、Ｆ２、Ｆ３のそれぞれは、図１に同じ符号が示された箇所の信号波形を示している。
【００２９】
（周波数判定ステップ）
一般に、微弱な信号を受信する場合には、この微弱な信号を増幅するために共振回路が用いられる。本実施形態では、共振回路が形成されていない状態で、コイル１１によって受信した信号の周波数を判定する周波数判定ステップの動作が実施される。具体的には、コイル１１から出力された信号を増幅回路２１によって増幅し、その増幅信号をバンドパスフィルタ２２、２３、２４に入力し、検波回路２５、２６、２７によって信号レベルを検出することにより、このステップの動作が行われる。検波回路２５、２６、２７によって検出された最も信号レベルの大きい周波数が、受信信号の周波数として判定される。
【００３０】
（共振周波数設定ステップ）
次に、検波回路２５、２６、２７の出力に基づいてスイッチ１５、１６、１７のいずれかをオンして、対応するコンデンサ１２等とコイル１１とを並列接続して共振回路を形成することにより、この共振回路の共振周波数を受信信号の周波数と一致させる。
【００３１】
このように、本実施形態の複数周波数対応型共振回路では、共振回路１０を構成するコイル１１によって受信した信号の周波数を判定して共振回路１０の共振周波数が設定されるため、手動によって共振周波数を切り替える煩雑な操作や、共振周波数を順次切り替えて受信信号レベルを検出する等の複雑な処理が不要であり、あらかじめ決められた複数の周波数の中から受信信号の周波数に合わせて動作することが可能となる。
【００３２】
特に、受信信号を増幅回路２１で増幅した信号を３つのバンドパスフィルタ２２、２３、２４に通した後に検波回路２５、２６、２７によって検出した信号レベルの中から最も大きい信号レベルに対応する周波数を、共振回路を経由して受信した信号の周波数として判定することにより、受信信号の周波数に合わせて共振回路１０の共振周波数を確実かつ容易に設定することができる。また、判定された周波数に対応するスイッチ１５、１６、１７のいずれかをオンすることで共振回路１０の共振周波数を設定しており、コイル１１と組み合わせるコンデンサをスイッチで切り替えることにより、共振回路１０の共振周波数を容易かつ確実に切り替えることができる。
【００３３】
次に、上述した複数周波数対応型共振回路を用いた情報通信装置について説明する。図３は、一実施形態の情報通信装置の構成を示す図である。本実施形態の情報通信装置２００は、複数周波数対応型共振回路１００、検波回路３０、電圧比較器３１、遅延回路３２、時定数回路３３、ＩＤ格納メモリ３４、スイッチ３５、電源回路４０を備えている。複数周波数対応型共振回路１００は、共振回路１０および周波数判定・設定回路２０によって構成されている。これらの共振回路１０および周波数判定・設定回路２０は、図１に示した構成と同じであり、これらの詳細説明は省略する。また、ＩＤ格納メモリ３４等の能動部品は、電源回路４０から供給される動作電力によって動作する。上述した検波回路３０、電圧比較器３１、遅延回路３２、時定数回路３３、ＩＤ格納メモリ３４、スイッチ３５が信号送信制御手段に対応する。
【００３４】
情報通信装置２００は、外部装置３００から送信される信号の周波数を判定して共振回路１０の共振周波数を設定した後、この情報通信装置２００に対応する固有のＩＤ（識別データ）を外部装置３００に向けて送信する。例えば、情報通信装置２００をペン型の位置指示器とし、外部装置３００をタブレット型の位置検出装置とする場合が考えられる。また、情報通信装置２００を非接触ＩＣカードとし、外部装置３００をその読取装置とする場合が考えられる。なお、これらの応用例を考えた場合には、情報通信装置２００内に各種の信号処理に必要な構成が含まれるが、図３では、情報通信装置２００の構成として、共振周波数の設定と、その後のＩＤ送信に必要な構成のみが示されている。
【００３５】
検波回路３０は、共振回路１０によって受信した信号をＡＭ検波する。電圧比較器３１は、検波回路３０による検波後の信号レベルと所定のしきい値とを比較し、検波後の信号レベルが所定のしきい値を超えたときにハイレベルとなるクロック信号を出力する。遅延回路３２は、外部装置３００から情報通信装置２００に向けて送信される信号の周期よりも短い所定時間だけクロック信号を遅延して出力する。時定数回路３３は、外部装置３００から情報通信装置２００に向けて送信される信号の周期よりも長い期間クロック信号のハイレベルが継続したときにリセット信号を出力する。ＩＤ格納メモリ３４は、例えば複数ビットからなる固有のＩＤを格納する。このＩＤ格納メモリ３４は、クロック端子とリセット端子を有する。リセット端子にリセット信号が入力されると、ＩＤの読み出しアドレスがリセットされ、その後クロック端子に入力されるクロック信号が立ち上がる毎に読み出しアドレスが更新され、これらの読み出しアドレスに対応するＩＤの各ビットデータが順番に読み出される。
【００３６】
本実施形態の情報通信装置２００はこのような構成を有しており、次にその動作を説明する。図４は、本実施形態の情報通信装置２００の各部の信号波形を示す図である。図４において、ａ、ｂ、ｃ、ｄ、ｅ、ｆ、ｇ、ｈ、ｊ、ｋのそれぞれは、図３に同じ符号が示された箇所の信号波形を示している。また、図５は本実施形態の情報通信装置２００の動作手順を示す流れ図である。図５に示す流れ図には、外部装置３００から送られてくる信号の受信を開始してからＩＤを送信するまでの動作手順が含まれている。
【００３７】
（周波数判定ステップ）
外部装置３００から信号が送られてくると、複数周波数対応型共振回路１００内の周波数判定・設定回路２０は、受信信号の周波数判別を行う（ステップＳ１）。このステップＳ１の動作は、図１に示した複数周波数対応型共振回路で行われる周波数判定ステップの動作と同じであり、ｆ１、ｆ２、ｆ３の中のいずれかが受信信号の周波数として判定される。図４に示す例では、検波回路２７の出力レベル（図４−ｅ）が上昇し、ｆ３が受信信号の周波数として判定される。
【００３８】
（共振周波数設定ステップ）
次に、周波数判定・設定回路２０は、判定した周波数に対応するスイッチ１５、１６、１７のいずれかをオンして、対応するコンデンサ１２等とコイル１１とを並列接続することにより、共振回路１０の共振周波数が判定した周波数と一致するように設定する（ステップＳ２）。このステップＳ２の動作は、図１に示した複数周波数対応型共振回路で行われる共振周波数設定ステップの動作と同じであり、図４に示す例では、スイッチ１７がオンされ、共振回路１０の共振周波数がｆ３に設定される。
【００３９】
（信号送信ステップ）
共振周波数ｆ３の共振回路１０が形成された後、信号の送信準備に移行する（ステップＳ３）。本実施形態では、情報通信装置２００から外部装置３００に向けてＩＤを送信するタイミングが外部装置３００によって指示される。具体的には、外部装置３００は、周波数ｆ３の信号を時定数回路３３の出力がハイレベルになるまで（リセット信号が出力されるまで）の時間継続して情報通信装置２００に向けて送信する。情報通信装置２００では、この信号を受信すると、時定数回路３３の出力がハイレベルになって（図４−ｋ）、ＩＤ格納メモリ３４のリセット端子にリセット信号が入力される。これにより、ＩＤ格納メモリ３４からＩＤを読み出すための読み出しアドレスがリセットされ、信号の送信準備が終了する。
【００４０】
このようにしてＩＤ格納メモリ３４の読み出しアドレスがリセットされると、次にクロック端子に入力されるクロック信号（遅延回路３２の出力信号）に同期してＩＤ格納メモリ３４からＩＤが１ビットずつ読み出され、外部装置３００に向けて送信される（ステップＳ４）。
【００４１】
本実施形態では、ＩＤの各ビットデータの送信は、共振回路１０のコイル１１と並列に接続されたスイッチ３５をオン／オフすることにより行われる。外部装置３００から所定時間周波数ｆ３の信号を送信すると、情報通信回路２００内の共振回路１０に共振動作に伴ってエネルギーが蓄えられる。その後、信号の送信を停止すると、蓄えられたエネルギーがこの共振回路１０を用いて放出される。この放出タイミングに合わせてスイッチ３５をオン／オフすることにより、共振回路１０を用いたエネルギーの放出を維持するか（ビットデータが“０”でスイッチ３５がオフの場合）と、共振回路１０を用いたエネルギーの放出を停止するか（ビットデータが“１”でスイッチ３５をオンすることで、蓄えたエネルギーを消滅させる場合）とを切り替えることで、ＩＤの各ビットデータが送信される。共振回路１００に受信信号のエネルギーが蓄えられた後の適当なタイミングでスイッチ３５をオン／オフするために上述した遅延回路３２による遅延時間が用いられている。図４−ｊに示す例では、ＩＤとして“０１００１１０１０００１１”のビット列が順番に情報通信装置２００から外部装置３００に向けて送信される。
【００４２】
このように、本実施形態の複数周波数対応型共振回路１００およびこれを用いた情報通信装置２００では、共振回路１０を経由して受信した信号の周波数を判定して共振回路１０の共振周波数が設定されるため、手動によって共振周波数を切り替える煩雑な操作や、共振周波数を順次切り替えて受信信号レベルを検出する等の複雑な処理が不要であり、あらかじめ決められた複数の周波数の中から受信信号の周波数に合わせて動作することが可能となる。
【００４３】
また、増幅回路２１、複数のバンドパスフィルタ２２、２３、２４、検波回路２５、２６、２７を備える周波数判定・設定回路２０を用い、検波回路２５、２６、２７によって検出された信号レベルの中から最も大きい信号レベルに対応する周波数を、共振回路１０を経由して受信した信号の周波数として判定することにより、受信信号の周波数に合わせて共振回路１０の共振周波数を確実かつ容易に設定することができる。また、共振回路１０において、コイル１１と組み合わせるコンデンサ１２、１３、１４のいずれかをスイッチ１５、１６、１７で切り替えることにより、共振回路１０の共振周波数を容易かつ確実に切り替えることができる。
【００４４】
また、このようにして共振周波数が設定された後の共振回路１０を用いて、外部装置３００に向けて信号を送信することにより、使用される信号の周波数を自動的に判別して、情報通信装置２００と外部装置３００との間でこの周波数の信号を用いた情報の送受信が可能となる。特に、共振回路１０を短絡するスイッチ３５をオン／オフして共振回路１０から外部装置３００に向けた信号の送信を行うことにより、共振周波数が設定された共振回路１０に流れる電流の状態を切り替えて、共振回路１０から送信される信号の内容を任意に設定することができる。
【００４５】
なお、本発明は上記実施形態に限定されるものではなく、本発明の要旨の範囲内において種々の変形実施が可能である。例えば、上述した実施形態では、周波数判定・設定回路２０において３つの周波数ｆ１、ｆ２、ｆ３の中から受信信号の周波数を選択したが、２つあるいは４つ以上の周波数の中から受信信号の周波数を選択するようにしてもよい。この場合には、周波数の数にあわせて、周波数判定・設定回路２０内のバンドパスフィルタおよび検波回路の数や、共振回路１０内のコンデンサおよびスイッチの数を変更すればよい。
【００４６】
また、上述した実施形態では、情報通信装置２００と外部装置３００の適用例として、タブレット型の位置検出装置とこれに組み合わされる位置指示器や、非接触ＩＣカードとその読取装置を示したが、その他の装置、システムに本発明を適用することができる。
【００４７】
また、共振回路１０の共振周波数設定後に情報通信装置２００から外部装置３００に向けてＩＤを送信する場合について説明したが、ＩＤ以外のデータを送信するようにしてもよい。また、共振回路１０の共振周波数設定後に、外部装置３００から情報通信装置２００に向けて一方的に信号を受信する場合にも本発明を適用することができる。例えば、情報通信装置２００として電波時計を考えた場合には、電波時計から外部装置３００としての標準電波送信所に向けて信号の送信は行われない。この場合には、図３に示したスイッチ３５をオン／オフするための構成は不要となる。
【産業上の利用可能性】
【００４８】
本発明によれば、共振回路１０を経由して受信した信号の周波数を判定して共振回路１０の共振周波数が設定されるため、手動によって共振周波数を切り替える煩雑な操作や、共振周波数を順次切り替えて受信信号レベルを検出する等の複雑な処理が不要であり、あらかじめ決められた複数の周波数の中から受信信号の周波数に合わせて動作することが可能となる。
【符号の説明】
【００４９】
１０  共振回路
１１  コイル
１２、１３、１４コンデンサ
１５、１６、１７、３５  スイッチ
２０  周波数判定・設定回路
２１  増幅回路
２２、２３、２４  バンドパスフィルタ
２５、２６、２７、３０  検波回路
３１  電圧比較器
３２  遅延回路
３３  時定数回路
３４  ＩＤ格納メモリ
４０  電源回路
１００  複数周波数対応型共振回路
２００  情報通信装置
３００  外部装置
【図１】
2012156923.tif 000003
【図２】
2012156923.tif 000004
【図３】
2012156923.tif 000005
【図４】
2012156923.tif 000006
【図５】
2012156923.tif 000007